(57)【要約】      （修正有）【課題】光ヘッドの光ビームの収差を効率よく補正し、安定した記録再生が可能な光ディスク装置および速やかで確実なフォーカス調整方法を提供する。【解決手段】液晶素子１４によって球面収差の補正値を調整しながら、ＲＦ信号振幅が最大となるフォーカスオフセット値とＰＰ信号が最大となるフォーカスオフセット値を求め、そのオフセット値の差が所定の範囲内にあるとき、そのフォーカスオフセットを設定値と判定し、また球面収差を補正値として設定する。【選択図】図１
2010044828.tif 000002
【特許請求の範囲】
【請求項１】
レーザダイオードから出射されたレーザ光を光ディスクに向けて集光するとともに前記光ディスクから反射した戻りレーザ光を受ける対物レンズと前記レーザダイオードと前記対物レンズの間の光路上に設けられ前記光ディスクの情報記録面における球面収差および非点収差を補正する液晶素子とを備えた光ヘッドと、
前記液晶素子の前記球面収差および前記非点収差の補正値を調整する液晶素子制御手段と、
前記光ヘッドの光検出器の出力から前記光ディスクのフォーカスエラー信号とＲＦ信号およびプッシュプル信号を生成する信号生成手段と、
前記フォーカスエラー信号からフォーカスオフセットを算出するフォーカスオフセット算出手段と、
前記ＲＦ信号振幅が最大となる前記フォーカスオフセットと前記プッシュプル信号が最大となる前記フォーカスオフセットを比較する比較手段と、
前記液晶素子制御手段によって前記球面収差の補正値を調整し前記比較手段によって前記ＲＦ信号振幅が最大となる前記フォーカスオフセットと前記プッシュプル信号が最大となる前記フォーカスオフセットの差異が所定の範囲内にあるとき、前記フォーカスオフセットを設定値と判定する制御部と
を有することを特徴とする光ディスク装置。
【請求項２】
前記制御部は、前記液晶素子制御手段によって前記球面収差の補正値を調整し前記比較手段によって前記ＲＦ信号振幅が最大となる前記フォーカスオフセットと前記プッシュプル信号が最大となる前記フォーカスオフセットの差異が所定の範囲内にないとき、前記液晶素子制御手段によって前記非点収差の補正値を調整し前記比較手段によって前記ＲＦ信号振幅が最大となる前記フォーカスオフセットと前記プッシュプル信号が最大となる前記フォーカスオフセットの差異が所定の範囲内になったとき、前記フォーカスオフセットを設定値と判定することを特徴とする請求項１記載の光ディスク装置。
【請求項３】
レーザダイオードから出射されたレーザ光を光ディスクに向けて集光するとともに前記光ディスクから反射した戻りレーザ光を受ける対物レンズと前記レーザダイオードと前記対物レンズの間の光路上に設けられ前記光ディスクの情報記録面における球面収差および非点収差を補正する液晶素子とを備えた光ヘッドを有する光ディスク装置のフォーカス調整方法であって、
前記液晶素子の前記球面収差および前記非点収差の補正値を調整する調整工程と、
前記光ヘッドの光検出器の出力から前記光ディスクのフォーカスエラー信号とＲＦ信号およびプッシュプル信号を生成する信号生成工程と、
前記フォーカスエラー信号からフォーカスオフセットを算出するフォーカスオフセット算出工程と、
前記ＲＦ信号振幅が最大となる前記フォーカスオフセットと前記プッシュプル信号が最大となる前記フォーカスオフセットを比較する比較工程と、
前記調整工程によって前記球面収差の補正値を調整し前記比較工程によって前記ＲＦ信号振幅が最大となる前記フォーカスオフセットと前記プッシュプル信号が最大となる前記フォーカスオフセットの差異が所定の範囲内にあるとき、前記フォーカスオフセットを設定値と判定する判定工程と
を有することを特徴とするフォーカス調整方法。
【請求項４】
前記判定工程において、前記調整工程によって前記球面収差の補正値を調整し前記比較工程によって前記ＲＦ信号振幅が最大となる前記フォーカスオフセットと前記プッシュプル信号が最大となる前記フォーカスオフセットの差異が所定の範囲内にないとき、前記調整工程によって前記非点収差の補正値を調整し前記比較工程によって前記ＲＦ信号振幅が最大となる前記フォーカスオフセットと前記プッシュプル信号が最大となる前記フォーカスオフセットの差異が所定の範囲内になったとき、前記フォーカスオフセットを設定値と判定することを特徴とする請求項３記載のフォーカス調整方法。
【発明の詳細な説明】
【技術分野】
【０００１】
本発明は、ＣＤ系、ＤＶＤ系、ＢＤ系あるいはＨＤ ＤＶＤ系などの光ディスクに情報を記録し、または光ディスクから情報を再生する光ディスク装置及びフォーカス調整方法に関する。
【背景技術】
【０００２】
ＣＤ（Compact Disc）規格やＤＶＤ（Digital Versatile Disk）規格と呼ばれる複数種類の記録密度の光ディスクが既に広く普及しているが、近年、青紫色の波長のレーザ光を用いて情報を記録することにより、さらに記録密度が高められた超高密度光ディスクであるＢＤ(Blu-ray Disc)規格やＨＤ ＤＶＤ(High Definition Digital Versatile Disk)規格の光ディスクも実用化されている。
【０００３】
前記光ディスクへの記録や記録された情報を再生するための光ディスク装置の一部には、光ディスクの基板の厚さ（光ディスクの外表面から記録層までの距離）のばらつきによって球面収差が発生し、また光学素子や光ヘッドの組み立てにおける誤差や対物レンズがトラッキング方向にシフトすることによって非点収差といった収差が発生する。これらの収差は光ディスクの情報記録面に微小スポットを絞り込む際に悪影響をもたらすことになるため、収差補正素子やレンズの組み合わせによって補正される。
【０００４】
特許文献１には、プッシュプル信号（ＰＰ信号、Push Pull）が最大となる球面収差量と、２Ｔマーク信号の振幅値が最大となる球面収差量を探索し、２つの球面収差量が一致しなかったときは、一致するまで非点収差補正素子で０°方向成分あるいは９０°成分の非点収差補正を行うことが考案されている。
【特許文献１】特開２００７−２０７３８２号公報
【発明の開示】
【発明が解決しようとする課題】
【０００５】
図６は、球面収差を補正するときのフォーカスオフセットと再生信号（ＲＦ信号）振幅およびフォーカスオフセットとプッシュプル信号（ＰＰ信号）振幅の関係を示す図である。図６（ａ）が、フォーカスオフセットとＲＦ信号振幅の関係を示しており、図６（ｂ）が、フォーカスオフセットとＰＰ信号振幅の関係を示している。また図７は、非点収差を補正するときのフォーカスオフセットとＲＦ信号振幅およびフォーカスオフセットとＰＰ信号振幅の関係を示す図である。図７（ａ）が、フォーカスオフセットとＲＦ信号振幅の関係を示しており、図７（ｂ）が、フォーカスオフセットとＰＰ信号振幅の関係を示している。
【０００６】
図６（ａ）に示すように、球面収差の位相の値を変化させると、ＲＦ信号振幅のフォーカスオフセット最適点が移動する。実線は、球面収差の位相がＲＦ信号振幅とＰＰ信号振幅のフォーカスオフセット最適点が一致した所望の調整値にあるときを示す。ＲＦ信号振幅においては、球面収差の位相が所望の調整値よりプラス側にあるとき、フォーカスオフセット最適点がフォーカスオフセットのプラス側へ移動する。球面収差の位相が所望の調整値よりマイナス側にあるとき、フォーカスオフセット最適点がフォーカスオフセットのマイナス側へ移動する。
【０００７】
図６（ｂ）に示すように、球面収差の位相の値を変化させると、ＰＰ信号振幅のフォーカスオフセット最適点が移動する。実線は、球面収差の位相がＲＦ信号振幅とＰＰ信号振幅のフォーカスオフセット最適点が一致した所望の調整値にあるときを示す。ＰＰ信号振幅においては、球面収差の位相が所望の調整値よりプラス側にあるとき、フォーカスオフセット最適点がフォーカスオフセットのマイナス側へ移動する。球面収差の位相が所望の調整値よりマイナス側にあるとき、フォーカスオフセット最適点がフォーカスオフセットのプラス側へ移動する。
【０００８】
図７（ａ）に示すように、ＲＦ信号振幅においては、非点収差の位相の値を変化させても、ＲＦ信号振幅のフォーカスオフセット最適点は変化しない。実線は、球面収差の位相がＲＦ信号振幅とＰＰ信号振幅のフォーカスオフセット最適点が一致した所望の調整値にあるときを示す。
【０００９】
図７（ｂ）に示すように、非点収差の位相の値を変化させると、ＰＰ信号振幅のフォーカスオフセット最適点が移動する。実線は、非点収差の位相がＲＦ信号振幅とＰＰ信号振幅のフォーカスオフセット最適点が一致した所望の調整値にあるときを示す。ＰＰ信号振幅においては、非点収差の位相が所望の調整値よりプラス側にあるとき、フォーカスオフセット最適点がフォーカスオフセットのプラス側へ移動する。非点収差の位相が所望の調整値よりマイナス側にあるとき、フォーカスオフセット最適点がフォーカスオフセットのマイナス側へ移動する。
【００１０】
球面収差補正では、上記のようにＲＦ信号振幅とＰＰ振幅が逆の特性を示す。補正を行った後に実線で示すフォーカスオフセットの位置で略一致することが望ましい。しかしながら光学系に非点収差が残存している場合には一致せず、図７（ｂ）で示すようにＰＰ信号振幅のフォーカスオフセットが残存する。
【００１１】
特許文献１では、比較対象が球面収差補正量となっているが、収差補正量の大きさで調整値を判断するのは効率がよくない。さらに効率のよい調整方法が求められている。
【００１２】
本発明は上記したような事情に鑑み成されたものであって、光ヘッドの光ビームの収差を効率よく補正し、安定した記録再生が可能な光ディスク装置および速やかで確実なフォーカス調整方法を提供することを目的とする。
【課題を解決するための手段】
【００１３】
上記目的を達成するために、本発明の光ディスク装置は、レーザダイオードから出射されたレーザ光を光ディスクに向けて集光するとともに前記光ディスクから反射した戻りレーザ光を受ける対物レンズと前記レーザダイオードと前記対物レンズの間の光路上に設けられ前記光ディスクの情報記録面における球面収差および非点収差を補正する液晶素子とを備えた光ヘッドと、前記液晶素子の前記球面収差および前記非点収差の補正値を調整する液晶素子制御手段と、前記光ヘッドの光検出器の出力から前記光ディスクのフォーカスエラー信号とＲＦ信号およびプッシュプル信号を生成する信号生成手段と、前記フォーカスエラー信号からフォーカスオフセットを算出するフォーカスオフセット算出手段と、前記ＲＦ信号振幅が最大となる前記フォーカスオフセットと前記プッシュプル信号が最大となる前記フォーカスオフセットを比較する比較手段と、前記液晶素子制御手段によって前記球面収差の補正値を調整し前記比較手段によって前記ＲＦ信号振幅が最大となる前記フォーカスオフセットと前記プッシュプル信号が最大となる前記フォーカスオフセットの差異が所定の範囲内にあるとき、前記フォーカスオフセットを設定値と判定する制御部とを有することを特徴とする。
【００１４】
また、本発明のフォーカス調整方法は、レーザダイオードから出射されたレーザ光を光ディスクに向けて集光するとともに前記光ディスクから反射した戻りレーザ光を受ける対物レンズと前記レーザダイオードと前記対物レンズの間の光路上に設けられ前記光ディスクの情報記録面における球面収差および非点収差を補正する液晶素子とを備えた光ヘッドを有する光ディスク装置のフォーカス調整方法であって、前記液晶素子の前記球面収差および前記非点収差の補正値を調整する調整工程と、前記光ヘッドの光検出器の出力から前記光ディスクのフォーカスエラー信号とＲＦ信号およびプッシュプル信号を生成する信号生成工程と、前記フォーカスエラー信号からフォーカスオフセットを算出するフォーカスオフセット算出工程と、前記ＲＦ信号振幅が最大となる前記フォーカスオフセットと前記プッシュプル信号が最大となる前記フォーカスオフセットを比較する比較工程と、前記調整工程によって前記球面収差の補正値を調整し前記比較工程によって前記ＲＦ信号振幅が最大となる前記フォーカスオフセットと前記プッシュプル信号が最大となる前記フォーカスオフセットの差異が所定の範囲内にあるとき、前記フォーカスオフセットを設定値と判定する判定工程とを有することを特徴とする。
【発明の効果】
【００１５】
本発明によれば、光ヘッドの光ビームの収差を効率よく補正し、安定した記録再生が可能な光ディスク装置および速やかで確実なフォーカス調整方法を提供することができる。
【発明を実施するための最良の形態】
【００１６】
以下本発明の実施例について図面を参照しながら説明する。図１は、本発明の実施の形態が適用可能な光ディスク装置の構成の一例を示す図である。光ディスク２はＣＤ系、ＤＶＤ系、ＢＤ系またはＨＤ ＤＶＤ系の再生専用あるいは記録型光ディスクである。例えばＤＶＤ系では、再生専用型のＤＶＤ−Ｖｉｄｅｏ、ＤＶＤ−ＲＯＭ(Read Only Memory)、記録型のＤＶＤ−Ｒ（Recordable）／ＲＷ（Rewritable）／ＲＡＭ（Random Access Memory）等がある。
光ディスク２はディスクモータ３によって回転駆動される。ディスクモータ３はディスクモータ制御回路４によって制御されている。
【００１７】
光ディスク２に対する情報の記録、再生は、光ピックアップ５によって行われる。光ピックアップ５には、対物レンズ６が設けられており、対物レンズ６はフォーカシングアクチュエータ７の駆動によりフォーカスシング方向（レンズの光軸方向）への移動が可能で、またトラッキングアクチュエータ８の駆動によりトラッキング方向（レンズの光軸と直交する方向で光ディスクの径方向）への移動が可能である。
【００１８】
記録データ生成回路９は情報記録時にホスト装置２５からインターフェース回路２４を介して供給されるデータにエラー訂正コードを付加し、同期コードなどをつけて記録フォーマットの形式に変更し、さらに変調し、変調されたデータをレーザ制御回路１０へ提供する。レーザ制御回路１０は情報記録時（マーク形成時）に、記録データ生成回路９から供給されるデータに基づいて、書き込み用信号を光ピックアップ５内のレーザダイオード１１に供給する。
【００１９】
光源であるレーザダイオード１１は、波長が約７８０ｎｍ（nano meter）のＣＤ用のレーザダイオード１１ａ、波長は約６５０ｎｍのＤＶＤ用のレーザダイオード１１ｂ、波長が約４０５ｎｍのＨＤ ＤＶＤ用のレーザダイオード１１ｃがあり、光ディスク装置に装着された光ディスクの種類によって使い分けられ、レーザ制御回路１０から供給される信号に応じて選択されてレーザ光を出射する。
【００２０】
レーザダイオード１１から発せられるレーザ光は、偏光ビームスプリッタ（ＰＢＳ）１２、コリメートレンズ１３、液晶素子１４、１／４波長板１５、対物レンズ６を介して光ディスク２上に照射される。レーザダイオード１１から発せられるレーザ光の光ディスク２からの反射光は、対物レンズ６、１／４波長板１５、液晶素子１４、コリメートレンズ１３、偏光ビームスプリッタ（ＰＢＳ）１２を介して光検出器１６に導かれる。光検出器１６からの出力信号は、ＲＦアンプ１９へ供給される。
【００２１】
ＲＦアンプ１９は、光検出器１６からの検出信号を処理し、ジャストフォーカスからの誤差を示すフォーカス誤差信号（ＦＥ信号）、レーザ光のビームスポット中心とトラック中心との誤差を示すトラッキング誤差信号（ＴＥ信号）、および再生信号（ＲＦ信号）を生成し、生成されたＦＥ信号、ＴＥ信号、およびＲＦ信号をＡ／Ｄ変換器２０に供給する。ＴＥ信号には、プッシュプル信号（ＰＰ信号）やＤＰＤ（Differential Phase Detection）信号などがある。（ＲＦアンプ１９は、光検出器１６からの検出信号を処理する際、使用されるレーザダイオード１１の種類に応じて信号を生成する時のパラメータをそれぞれの適切な値に設定して上記信号を生成する。Ａ／Ｄ変換器２０から出力された信号はバス２５を介してＣＰＵ（Central Processing Unit）２６等に供給される。
【００２２】
フォーカス・トラッキング制御回路２１は、Ａ／Ｄ変換器１５から供給された供給されたＦＥ信号及びＴＥ信号に応じてフォーカス制御信号及びトラッキング制御信号を生成し、フォーカシングアクチュエータ７及びトラッキングアクチュエータ８に出力し対物レンズ６を駆動する。これにより、レーザ光が光ディスク２の情報記録面上に常時ジャストフォーカスとなるフォーカシング制御、及びレーザ光が光ディスク２上に形成されたトラック上を常にトレースするトラッキング制御が行われる。
【００２３】
ＲＦ信号は、Ａ／Ｄ変換器２０でデジタル信号に変換されチャネルビットのデータとしてＰＬＬ回路２２に供給される。ＰＬＬ回路２２は、Ａ／Ｄ変換器２０から供給されるデータからデータに同期したクロックとチャネルビット単位のチャネルデータ信号を生成し、データ再生回路２３に出力する。データ再生回路２３ではフォーマットを解読して、チャネルデータ信号を復調してバイトデータを再生し、再生された再生データはエラー訂正回路２４へ出力される。エラー訂正回路２４では再生データを付与されているエラー訂正コードを用いてエラー訂正を行った後、インターフェース回路２９を介してホスト装置３０に出力される。
【００２４】
液晶素子制御回路１７は、液晶素子１４に印加する電圧を制御する。液晶素子１４に電圧を印加することによって液晶素子１４内の液晶の屈折率を変化させ、光ビームに含まれる球面収差および非点収差を補正する。
【００２５】
ディスクモータ制御回路４、記録データ生成回路９，レーザ制御回路１０、液晶素子制御回路１７、Ａ／Ｄ変換回路２０、フォーカス・トラッキング制御回路２１、データ再生回路２２、ＰＬＬ回路２３、エラー訂正回路２４等は、バス２５を介してＣＰＵ（Central Processing Unit）２６によって制御される。
【００２６】
ＣＰＵ２６はインターフェース回路２９を介してホスト装置３０から供給される動作コマンドに従って、この光ディスク記録再生装置１を総合的に制御する。また、ＣＰＵ２６は、ＲＡＭ（Random Access Memory）２７を記録再生時のバッファメモリ等の作業エリアとして使用し、ＲＯＭ（Read Only Memory）２８に記憶されたプログラムに従った所定の制御を行う。
【００２７】
ＣＰＵ２６は、ＦＥ信号のＳ字曲線によるフォーカス位置とＲＦ信号やＰＰ信号の最大値を示したときのずれであるフォーカスオフセットの値を算出するフォーカスオフセット算出手段２６ａの機能を有する。またＣＰＵ２６は、ＲＦ信号振幅が最大となるフォーカスオフセットとプッシュプル信号が最大となるフォーカスオフセットを比較する比較手段２６ｂの機能を有する。
【００２８】
図２は、液晶素子１４の概略を示す断面図である。ガラス基板４１、４２の間に液晶分子を含む液晶層４３が配設されている。ガラス基板４１、４２の内側表面（液晶層４３側の面）には液晶に電界を印加する第１の透明電極４４と第２の透明電極４５が形成されている。ガラス基板４１、４２の厚さは約０．５〜１ｍｍ、液晶層４３の厚さは数μｍ〜数十μｍ（マイクロメートル）である。この液晶素子１４の全体の厚さは約１〜２ｍｍである。第１及び第２の透明電極４４、４５は収差の分布状態によって複数の領域に分割されている。
【００２９】
図３は、球面収差を補正する透明電極４４の分割パターンを示す図である。透明電極４４の分割パターンは収差の位相の変化の大きさの分布形態に対応して分割するために、透明電極４４は同心状の円環の領域４４ａ〜４４ｅに分割されている。透明電極４４は透明電極１０６であっても構わない。理想的には収差をゼロにすることであるが、そのためには透明電極１０５を細かく分割してできるだけ球面収差の大きさを表す曲線に近似させることである。しかし配線や駆動回路等が複雑となりコストも掛かるので、透明電極４４の分割数は少ない方がよく、実際には数個程度となる。
【００３０】
図４は非点収差を補正する透明電極４５の分割パターンを示す図である。非点収差は外周部ほど大きいので外周部のみを補正し中心部分を補正しない例を示している。中心部も補正した方がより精度の高い補正ができることは言うまでも無い。外周部の透明電極を非点収差の分布形状に対応してラジアル方向の軸線を基準として略４５度間隔で放射状に８分割された区画４５ａ〜４５ｈを示している。透明電極４４の機能と透明電極４５の機能を入れ替えても構わない。以上のように液晶素子１４は、球面収差と非点収差を補正することができる。
【００３１】
図５は、フォーカス調整工程のフローチャートである。Ｓ１０において、ＣＰＵ２６は、フォーカス（合焦点）サーチを行う。光ディスク２の情報記録面に対してフォーカスサーボを掛けた状態で待機する。
【００３２】
Ｓ１２において、ＣＰＵ２６はＲＦ信号振幅が最大となるフォーカスオフセット位置を球面収差を調整しながらサーチする。球面収差の調整はＣＰＵ２６から補正差分に相当する信号を液晶制御回路１７へ送信し、液晶制御回路１７が制御信号を液晶素子１４へ出力する。液晶素子１４の球面収差を補正する透明電極４４に電圧が印加され、球面収差が調整される。フォーカスオフセット位置は、ＣＰＵ２６が、Ａ／Ｄ変換されたＦＥ信号とＲＦ信号振幅を比較しながら、ＲＦ信号が最大となるフォーカスオフセット位置をサーチする。このサーチは、フォーカスサーボが掛けられた状態で行われる。ＲＦ信号が最大となるフォーカスオフセット位置と、球面収差の調整値はＲＡＭ２７に保持される。
【００３３】
さらに、Ｓ１２において、ＣＰＵ２６はＰＰ信号振幅が最大となるフォーカスオフセット位置を、球面収差を調整しながらサーチする。フォーカスオフセット位置は、ＣＰＵ２６が、Ａ／Ｄ変換されたＦＥ信号とＰＰ信号振幅を比較しながら、ＰＰ信号が最大となるフォーカスオフセット位置をサーチする。このサーチは、フォーカスサーボが掛けられた状態で行われる。プッシュプル信号が最大となるフォーカスオフセット位置と、球面収差の調整値はＲＡＭ２７に保持される。
【００３４】
Ｓ１４において、ＣＰＵ２６は、ＲＡＭ２７に保持されたＲＦ信号振幅が最大となるフォーカスオフセットとＰＰ信号が最大となるフォーカスオフセットを比較する。フォーカスオフセット値は例えばＡ／Ｄ変換された電圧値である。それぞれの電圧値を比較し、その差が所定の範囲内であれば、Ｓ１６に移る。その差が所定の範囲内でないならば、Ｓ１８に移る。
【００３５】
Ｓ１６において、ＣＰＵ２６は、サーチされたフォーカスオフセット値をフォーカスオフセット値の設定値として判定し、またそのときの球面収差の調整値を維持する。以上のようにＣＰＵ２６は、ＲＦ信号振幅とＰＰ信号が最大となるフォーカスオフセットの差異が所定の範囲内にあるとき、そのフォーカスオフセットを設定値と判定する判定手段２６ｃの機能を有する。
【００３６】
Ｓ１８において、ＣＰＵ２６は、ＲＦ信号振幅が最大の位置の球面収差の状態で、ＲＦ信号振幅が最大となるフォーカスオフセット位置とＰＰ信号振幅が最大となるフォーカスオフセット位置を０°と９０°方向の非点収差を調整しながらサーチする。非点収差の調整はＣＰＵ２６から補正差分に相当する信号を液晶制御回路１７へ送信し、液晶制御回路１７が制御信号を液晶素子１４へ出力する。液晶素子１４の非点収差を補正する透明電極４５に電圧が印加され、非点収差が調整される。このサーチは、フォーカスサーボが掛けられた状態で行われる。ＲＦ信号振幅およびＰＰ信号振幅が最大となるフォーカスオフセット位置と、非点収差の調整値はＲＡＭ２７に保持される。
【００３７】
Ｓ２０において、ＣＰＵ２６は、ＲＡＭ２７に保持されたＲＦ信号振幅が最大となるフォーカスオフセットとＰＰ信号振幅が最大となるフォーカスオフセットを比較する。フォーカスオフセット値は例えばＡ／Ｄ変換された電圧値である。それぞれの電圧値を比較し、その差が所定の範囲内であれば、Ｓ１６に移る。その差が所定の範囲内でないならば、Ｓ１２に戻る。
【００３８】
Ｓ１６において、ＣＰＵ２６は、サーチされたフォーカスオフセット値をフォーカスオフセット値の設定値として判定し、またそのときの球面収差および非点収差の調整値を維持する。
【００３９】
以上のように液晶素子によって球面収差の補正値を調整しながら、ＲＦ信号振幅が最大となるフォーカスオフセット値とＰＰ信号が最大となるフォーカスオフセット値を求め、そのオフセット値の差が所定の範囲内にあるとき、そのフォーカスオフセットを設定値と判定し、また球面収差を補正値として設定する。またそのオフセット値の差が所定の範囲内にないとき、さらに０°と９０°の非点収差を調整しながら、ＲＦ信号振幅が最大となるフォーカスオフセット値とＰＰ信号が最大となるフォーカスオフセット値を求め、そのオフセット値の差が所定の範囲内にあるとき、そのフォーカスオフセットを設定値と判定する。このようにすることによって、球面収差或いは非点収差を効率よく補正し速やかで確実なフォーカス調整が可能となる。さらに光ディスク装置の製造工程における収差補正工程の時間を短縮することができ、学習を速やかに行うことが可能となる。
【００４０】
本発明は以上の構成に限定されるもではなく種々の変形が可能である。
【図面の簡単な説明】
【００４１】
【図１】本発明の実施の形態が適用可能な光ディスク装置の構成の一例を示す図。
【図２】液晶素子の概略を示す断面図。
【図３】球面収差を補正する透明電極の分割パターンを示す図。
【図４】非点収差を補正する透明電極の分割パターンを示す図。
【図５】フォーカス調整工程のフローチャート。
【図６】球面収差を補正するときのフォーカスオフセットと再生信号振幅およびプッシュプル信号振幅の関係を示す図。
【図７】非点収差を補正するときのフォーカスオフセットと再生信号振幅およびプッシュプル信号振幅の関係を示す図。
【符号の説明】
【００４２】
１  光ディスク装置
２  光ディスク
５  光ピックアップ
６  対物レンズ
１１  レーザダイオード
１４  液晶素子
１７  液晶素子制御回路
１９  ＲＦアンプ
２０  Ａ／Ｄ変換回路
２６  ＣＰＵ
２６ａ  フォーカスオフセット算出手段
２６ｂ  比較手段
２６ｃ  判定手段
【図１】
2010044828.tif 000003
【図２】
2010044828.tif 000004
【図３】
2010044828.tif 000005
【図４】
2010044828.tif 000006
【図５】
2010044828.tif 000007
【図６】
2010044828.tif 000008
【図７】
2010044828.tif 000009